(57)【要約】【課題】外気圧より低い気圧に維持される低圧室内において低コストで被洗浄面に付着した付着物を除去すること。【解決手段】被洗浄面に付着した付着物を次のような方法で除去する。この除去方法は、外気圧より低い気圧の低圧の室内６に設置された空気の送り出し装置（例えばコンプレッサー８）であって、低圧の室内６において取り込んだ空気を送り出す送り出し装置から送られる空気により、前述の低圧の室内６における被洗浄面にドライアイス粒５を噴射し、この噴射による衝突エネルギにより被洗浄面に付着した付着物７を除去する。低圧の室内６に設置されたコンプレッサー８による圧縮空気でドライアイス粒５を噴射するので、室外に設置されたコンプレッサーからの高圧空気のように室内の圧力を上昇させることがない。よって、室内６を負圧に維持するための装置を少なくすることができ、低コストで被洗浄面の付着物を除去することができる。【選択図】図１
2008246345.tif 000002
【特許請求の範囲】
【請求項１】
外気圧より低い気圧の低圧室内に設置される空気の送り出し装置が前記低圧室内において取り込んだ空気を送り出すことにより、前記低圧室内における被洗浄面にドライアイス粒を噴射し、該噴射による衝突エネルギにより前記被洗浄面に付着した付着物を除去することを特徴とする、付着物除去方法。
【請求項２】
前記空気の送り出し装置が送り出す空気は圧縮空気であることを特徴とする、請求項１に記載の付着物除去方法。
【請求項３】
前記空気の送り出し装置はコンプレッサーであることを特徴とする、請求項１又は２に記載の付着物除去方法。
【請求項４】
前記低圧室内において前記空気は取り込まれる前に除塵されることを特徴とする、請求項１〜３のいずれかに記載の付着物除去方法。
【請求項５】
前記付着物が、アスベスト、ダイオキシン、又は、放射性物質を含む付着物であることを特徴とする、請求項１〜４のいずれかに記載の付着物除去方法。
【請求項６】
ドライアイス粒を供給するドライアイス粒供給装置と、
前記ドライアイス粒を噴射させるために低圧室内における空気を取りこんで送り出す空気の送り出し装置と、
前記ドライアイス粒供給装置から供給されるドライアイス粒を、前記空気の送り出し装置により送り出される空気の力により付着物が付着した被洗浄面に向けて噴射し、前記付着物を除去する噴射ノズルと、
を備える除去装置と、
前記除去装置と前記被洗浄面とを含む作業場を外気圧より低い気圧にするための負圧生成装置と、
を備える付着物除去装置。
【発明の詳細な説明】
【技術分野】
【０００１】
本発明は、付着物除去方法、および、付着物除去装置に関する。
【背景技術】
【０００２】
壁面に付着した付着物を除去するための様々な方法が開示されている。その開示された技術の中に、コンプレッサーによって圧縮された圧縮空気によりドライアイス粒を噴射して、作業場所の有害物を除去する技術がある（特許文献１）。そして、この技術を用いたアスベストの除去工法が使用されている。使用されるアスベストの除去工法は、コンプレッサーとドライアイス搬送機を作業場の室外に配置する。そして、ドライアイス搬送機に投入したドライアイス粒をコンプレッサーの高圧空気と共に噴射ノズルから噴射させ、壁面等のアスベストを除去する。
【０００３】
また、特許文献２には、ドライアイス等の昇華性粒子をブラストして、付着物を剥離除去する技術が開示されている。
【特許文献１】特開２００３−３０００３０号公報
【特許文献２】特開２００４−３０５９０４号公報
【発明の開示】
【発明が解決しようとする課題】
【０００４】
上述のアスベストの除去方法を用いて壁面等に付着したアスベストなどの有害物を除去する場合、作業場所を隔離密閉養生する。そして、負圧集塵装置等を用いて隔離密閉養生された室内の気圧を室外よりも低圧にし、除去した室内の有害物が室外に漏れないようにする必要がある。
【０００５】
このとき、室外に設置されたコンプレッサーの圧縮空気によって室外よりも低圧に維持された室内でドライアイスを噴射すると、室内の気圧が著しく上昇する。そのため、室内の気圧を室外よりも低圧に保つために、大型の負圧集塵装置を使用するか、又は、多くの負圧集塵装置を設置する必要がある。このような装置の多くの設置は、コストを高くする要因となる。
【０００６】
また、通常、コンプレッサーは大型のため室外に設置されており、室内に圧縮空気を送るためのホースを室内に連通させるための穴を密閉養生材にあける必要がある。この穴は室内の密閉性を損なわせるため、室内を低圧に保ちにくくする。このことも大型の負圧集塵装置等を使用せざるを得ない一要因となる。このように、室外に設置された大型の負圧集塵装置と大型のコンプレッサーの使用は、燃料等のコストのために工費を高くする原因となっていた。
【０００７】
本発明は、このような事情に鑑みてなされたものであり、外気圧より低い気圧に維持される低圧室内において被洗浄面に付着した付着物を低コストで除去することを目的とする。
【課題を解決するための手段】
【０００８】
このような目的を達成するために本発明に係る付着物除去方法は、外気圧より低い気圧の低圧室内に設置される空気の送り出し装置が前記低圧室内において取り込んだ空気を送り出すことにより、前記低圧室内における被洗浄面にドライアイス粒を噴射し、該噴射による衝突エネルギにより前記被洗浄面に付着した付着物を除去することを特徴とする。  
このように、空気の送り出し装置は、低圧室内において空気を取り込みつつ取り込んだ空気を送り出すため、付着物の除去作業中において、取り込まれる空気量と送り出される空気量とが平均的にほぼ同量となる。そうすると、室内の空気量はほぼ一定に保たれるので、室内の気圧は一定（低圧）に維持される。つまり、室外のコンプレッサーから送られる高圧の圧縮空気のように室内の気圧を上昇させることがないため、室内の気圧を室外よりも低く保つための装置を多く設けたりする必要がない。よって、外気圧より低い気圧に維持された室内において被洗浄面に付着した付着物を低コストで除去することができる。
【０００９】
また、本発明に係る付着物除去方法において、前記空気の送り出し装置が送り出す空気は圧縮空気であることを特徴とする。  
このようにすることで、低圧室内において取り込んだ空気を圧縮して生成した圧縮空気によりドライアイス粒を噴射することができる。圧縮空気を噴射した場合、その流速は速いため高速でドライアイス粒を噴射することができるようになる。
【００１０】
また、本発明に係る付着物除去方法において、前記空気の送り出し装置はコンプレッサーであることを特徴とする。  
このように、空気の送り出し装置としてコンプレッサーを使用することにより、圧縮空気を生成してドライアイス粒を噴射することができる。また、このコンプレッサーは室内に設置されるので、低圧室内の圧力をあまり上昇させることなく、被洗浄面に付着した付着物を除去することができる。
【００１１】
また、本発明に係る付着物除去方法において、前記低圧室内において前記空気は取り込まれる前に除塵されることを特徴とする。  
このように、空気は取り込まれる前に除塵されるので、送り出し装置の内部に除去後の付着物などが流入することがない。例えば、コンプレッサー内部にアスベストなどの付着物が入り込むことがない。よって、コンプレッサー内部の清掃を行う必要がない。
【００１２】
また、本発明に係る付着物除去方法において、前記付着物が、アスベスト、ダイオキシン、又は、放射性物質を含む付着物であることを特徴とする。  
本方法は、外気圧より低い気圧にされた低圧室内で行われるため、外気が室内に流れ込むようになっている。よって、付着物がアスベスト、ダイオキシン、又は、放射性物質のように、人体に対して有害であって外部に漏らすことができない有害物であっても、これらが外部に漏れることがないようにすることができる。
【００１３】
また、本発明に係る付着物除去装置は、除去装置と負圧生成装置とを備える。除去装置は、ドライアイス粒を供給するドライアイス粒供給装置と、前記ドライアイス粒を噴射させるために低圧室内における空気を取りこんで送り出す空気の送り出し装置と、前記ドライアイス粒供給装置から供給されるドライアイス粒を、前記空気の送り出し装置により送り出される空気の力により付着物が付着した被洗浄面に向けて噴射し、前記付着物を除去する噴射ノズルと、を備える。負圧生成装置は、前記除去装置と前記被洗浄面とを含む作業場を外気圧より低い気圧にするための装置である。  
このような付着物除去装置を用いることで、上述における付着物除去方法と同様の理由により、外気圧より低い気圧に維持された室内において被洗浄面に付着した付着物を低コストで除去することができる。
【発明の効果】
【００１４】
以上のように、空気の送り出し装置は、低圧室内において空気を取り込みつつ取り込んだ空気を送り出すため、付着物の除去作業中において、取り込まれる空気量と送り出される空気量とが平均的にほぼ同量となる。そうすると、室内の空気量はほぼ一定に保たれるので、室内の気圧は一定（低圧）に維持される。つまり、室外のコンプレッサーから送られる高圧の圧縮空気のように室内の圧力を上昇させることがないので、室内を外気圧よりも低い気圧に保つための負圧集塵装置を多く設けたり、大型の負圧集塵装置を設ける必要がない。よって、外気圧より低い気圧に維持される室内において、低コストで壁面に付着した付着物を除去することができる。
【発明を実施するための最良の形態】
【００１５】
以下に、付着物の除去方法および付着物の除去装置の実施形態について、添付の図面を用いて説明する。
【００１６】
図１は、本実施形態における付着物の除去装置の概略構成を示す図である。図２は、本実施形態における付着物の除去方法を説明するための図である。本実施形態は、有害物を室外に漏らさないために気圧を室外よりも低圧に維持する必要のある作業場において使用される。ここでは、壁面に付着した人体に有害なアスベストを除去する方法について説明する。
【００１７】
本実施形態における除去装置は、室外の気圧（大気圧）よりも低い気圧に維持される室内６に設置されることとなる。よって、ここでは、まず隔離密閉養生工程Ｓ３１により、室内６の隔離密閉養生が行われる。隔離密閉養生とは、室外よりも気圧の低い作業空間を作り出すために、作業場所を外気に対して密閉するように養生する作業である。そのため、ここでは、室内６と室外の通路を遮断するようにＰＥＴ製のシート（ＰＥＴシート）が貼り付けられ養生が行われる。そして、室外に室内６からの空気が流出しないようにし、アスベスト７や粉塵が室外へ流出してしまうのを防止する。
【００１８】
図１において、室外への空気の流路となり得るのは、窓１５および出入り口１６となっている。よって、隔離密閉養生として、外部への空気流路を完全に遮断するように、窓１５の周囲にＰＥＴシート１１が貼り付けられる。また、作業員の出入り口１６にも、ＰＥＴシート１１が設けられる。但し、ここでは、ＰＥＴシート１１がカーテンのように取り付けられることにより、外気と室内６との間に小さな空気流路が設けられる。これは、後述する負圧集塵装置２１によって室内の空気が吸い出されるため、外気を取り入れ可能とし、必要以上に室内６の気圧が低圧にならないようにするためである。この出入り口１６とＰＥＴシート１１との間に形成された空気の流路は、負圧集塵装置２１を動作させたときに、室内６が適度に低い気圧に保たれる程度の小さな流路となっている。このようにして、室外の気圧よりも低い気圧の室内６を作り出すための養生が行われる。
【００１９】
室外には、負圧集塵装置２１が設置されている。負圧集塵装置２１は、隔離密閉養生室６の内部の空気を吸引し、その空気をフィルタで濾過し、空気に含まれる有害物を除去して室内６の外部に排気する。このように、負圧集塵装置２１が、隔離密閉養生された室内６の空気を吸引することで室内の気圧は室外の気圧に対して低圧にされる。また、負圧集塵装置２１によって室内の空気が吸引されることにより、後述するドライアイスの昇華後の二酸化炭素が排出される。
【００２０】
次に、室内６に除去装置を設置する（Ｓ３２）。本実施形態における除去装置は、投入されたドライアイス粒５を貯積し、順次、ドライアイス粒５を送り出すドライアイス搬送機２と、ドライアイス粒５を噴射させるための圧縮空気を生成するコンプレッサー８を備える。ドライアイス搬送機２は、ドライアイス混合部１４とホッパー２０とを含む。また、本実施形態で使用されるコンプレッサー８は、低圧室内に設置できる程度の大きさの小型のコンプレッサーである。コンプレッサー８の吐出口は、接続ホース１８を介してドライアイス混合部１４に接続されている。
【００２１】
ところで、室内が低圧の状態にされた後、負圧集塵装置２１が室外にはき出す空気量と、ＰＥＴシート１１などの隙間から流入する空気量はほぼ同じ量に保たれ、室内６は外気よりも低圧である状態が保たれる。よって、室内６における空気量は低圧状態で密閉されたときの空気量とほぼ同量であるとみなすことができる。連続して付着物の除去作業を行う場合、コンプレッサーは取り込んだ空気をタンクに圧縮しながら圧縮空気を吐出することとなる。この場合、低圧の室内６において設置されるコンプレッサー８が単位時間あたりに取り込む空気の量と吐出する空気の量とがほぼ同じ量となる。そうすると、室内６における空気量はほぼ一定に保たれることとなり、付着物の除去作業中も低圧状態が維持されることとなる。つまり、単位時間あたりに取り込む空気量と吐出する空気量とをほぼ同量とするコンプレッサー（または、単位時間あたりの取り込み可能な空気量が吐出可能な空気量よりも多いコンプレッサー）であれば、様々のタイプのコンプレッサーを使用することができる。
【００２２】
本実施形態における小型のコンプレッサー８は、圧縮空気をため込むためのタンクの容量が大型のコンプレッサーのものよりも小さい。よって、空気の吐出口が小さく絞られ、タンク内圧力が急速に下がらないようになっている。この場合、小型のコンプレッサーは、大型のコンプレッサーに比して単位時間あたりの空気の吐出量は少ない。単位時間あたりの空気の吐出量が少なければ吐出される空気がたとえ圧縮空気であっても、噴射を開始した直後において低圧室内の圧力を上昇させにくい。また、小型のコンプレッサーであれば、空気の単位時間あたりの吐出量を高めた場合であっても、そのタンク容量の小ささのため、低圧の室内を外気圧と同等の気圧にまで上昇させるまでの空気を室内６に充当することができず好都合である。
【００２３】
よって、室内には小型のコンプレッサーを設置することが望ましい。ここで使用されるコンプレッサー８は、４８（Ｌ／ｍｉｎ）の吐出能力を有する。また、コンプレッサー８は、最高で０．６７（ＭＰａ）の圧力で空気を吐出できる。
【００２４】
除去装置は、コンプレッサー８からの風圧により、ドライアイス搬送機２内に蓄えられたドライアイス粒５を被洗浄面である壁面１７のアスベスト７に向けて噴射する噴射ノズル３を備える。噴射ノズル３は、噴射用ホース４によってドライアイス混合部１４に取り付けられている。
【００２５】
コンプレッサー８の空気の取り入れ口９には、除塵するための装置として除塵フィルタ１０が接続ホース１３を介して取り付けられている。コンプレッサー８は空気を取り込むため、室内から空気の取り入れ口９に向かう方向に空気の流れが形成されている。よって、粉塵として空気中を舞うアスベストがこの流れに乗り、除塵フィルタ１０によって捕集される。このように除塵フィルタ１０がコンプレッサー８の空気取り入れ口９に接続ホース１３を介して取り付けられているので、コンプレッサー８の内部、噴射用ホース４の内部、および、噴射ノズル３は有害物で汚染されない。そして、アスベストの除去作業終了後にこれらの内部を洗浄する必要がないようになっている。
【００２６】
尚、除塵するための装置として、除塵フィルタ１０のほかに、さらに、サイクロンなどの固気分離装置を取り付けることとして、空気中を舞うアスベストをより積極的に回収可能とすることとしてもよい。
【００２７】
ドライアイス搬送機２は、投入されたドライアイス粒５を貯積するホッパー２０と、ホッパーから供給されるドライアイス粒５を圧縮空気と混合して噴射ノズル３へと搬送するためのドライアイス混合部１４を含む。ドライアイス供給装置としてのホッパー２０は、ドライアイス搬送機２の上部分に配置されている。ホッパー２０は、投入されたドライアイス粒５を一時的に蓄え、ドライアイス混合部１４に対して必要量を搬出する装置である。ホッパー２０の下側は漏斗形状となっており、漏斗形状の先端部に取り付けられた供給調整装置によってドライアイス粒５のドライアイス混合部１４への供給量が制御される。この供給調整装置は、例えば螺旋状に切られたネジ状部材である。そして、このネジ状部材が回転させられることにより、このネジ上部材の溝部に入り込んだドライアイス粒５が、順次、ドライアイス混合部１４に供給されることとなる。
【００２８】
ドライアイス混合部１４では、ホッパー２０から供給されたドライアイス粒５が圧縮空気と混合され噴射用ホース４側に送り込まれる。尚、ホッパー２０に投入されるドライアイス粒５は、直径３ｍｍ×長さ１０ｍｍ等の円筒形状に成形されている。
【００２９】
噴射ノズル３には、上述の噴射用ホース４が取り付けられている。そして、圧縮空気と共にドライアイス粒５を噴射可能となっている。噴射されたドライアイス粒５は、壁面のアスベスト７に衝突し、この衝突エネルギによってアスベスト７が剥離される。ドライアイス粒５は、研磨剤として噴射され、付着物であるアスベスト７を被洗浄面から効率よく除去する。アスベスト７を壁面１７から除去した後のドライアイス粒５は、その昇華作用により二酸化炭素となって消失する。よって、アスベスト７の除去後に残留するのは剥離されたアスベスト７だけとなる。また、ドライアイスを使用すると作業空間が冷却されるので、夏場の熱中症対策になるという利点もある。
【００３０】
以上のような除去装置が設置されると、この除去装置を使用してアスベストの除去作業が行われる（Ｓ３３）。上述のように、コンプレッサー８によって圧縮空気が送られると、ドライアイス粒５がこの圧縮空気によって送り出され、噴射ノズル３から噴射される。そして、壁面のアスベスト７が剥離され除去される。この除去作業は、人手によって噴射ノズル３を支えつつ行われる。ただし、これを自動化した機械によって行わせることとしてもよい。
【００３１】
尚、本実施形態におけるコンプレッサー８は、空気の送り出し装置としての例示である。よって、空気を取り込み、付着物を除去するだけの流量の空気を送り出すことができる装置であれば、これに限られない。コンプレッサー以外の空気の送り出し装置を用い、送り出す空気の圧力が弱い場合には、漏斗状の絞り部材を用いて、管内を通る空気流速を高めることで、圧力の高い空気を生成することとしてもよい。
【００３２】
また、空気の送り出し装置として、空気の取り入れ能力の高い装置が使用される場合において、この空気の取り入れ能力を利用して除塵を行うこととしてもよい。このとき、除塵フィルタ１０の接続ホース１３が取り付けられている側の他方の側に別途ホースを取り付け、このホースを介して除去後の付着物を回収することとしてもよい。そうすることで、空気の送り出し装置の吸引力が利用され、室内６の壁面１７において除去されたアスベスト７が吸引されることとなる。
【００３３】
なお、本実施形態では、作業員によってドライアイス粒５がドライアイス搬送機２に投入されることとしていたが、室内６に液化炭酸ガスタンクとドライアイス製造装置（ペレタイザ）を備えることとしてもよい。そして、上述のドライアイス粒５を室内６において製造しつつ、アスベスト７の除去を行うこととしてもよい。また、ドライアイス粒５は、必ずしも円筒状に成形される必要はなく、ペレット状であれば、どのような形状に成形されても構わない。また、ＰＥＴシート１１に代えて、養生シートを使用してもよい。
【００３４】
また、ここでは、壁面に付着しているアスベスト７の除去作業を例にして説明を行ったが、有害物を外部に漏らさないために作業場を外気圧よりも低圧にする必要があるような状況下となる他の有害物の除去作業に使用することもできる。
【００３５】
例えば、使用済み核燃料をストックしておいたプール側壁の清掃に使用することもできる。使用済み核燃料は、炉内から取り出された後も熱を放出し続けているため、使用後もしばらくの間は水を充填したプール内に貯蔵される。使用済み核燃料の温度が下がり、これらがプールから取り出されると、プールから水が抜かれプール壁面の清掃が行われる。このプールは、放射性物質を格納するためのものであるので密閉された空間となっている。このような空間では、上述のような外気圧よりも低い気圧の室内を作りやすい。また、除去すべき壁面の汚れは放射性物質を含んだ有害物であって、外部に漏らすことができない。よって、プール壁面の洗浄時において、上述の除去方法を使用することができる。そして、低コストで壁面の放射性物質を含んだ汚れを除去することができる。
【００３６】
また、この除去方法は、ゴミ焼却施設の焼却炉内、煙道、集塵機、煙突の内壁部、鉄道のトンネル壁面、サイロ内部、ゴミピット内部、放射性物質の保存容器などにも使用可能であり、焼却灰、煤、粉塵、貯蔵滓、汚物、汚染物質、土、ラベル、シール、塗装材等が付着した箇所でも用いることができる。
【図面の簡単な説明】
【００３７】
【図１】本実施形態における除去装置の概略構成を示す図である。
【図２】本実施形態におけるアスベスト除去方法を説明するための図である。
【符号の説明】
【００３８】
２  ドライアイス搬送機、３  噴射ノズル、４  噴射用ホース、５  ドライアイス粒、
６  室内、７  アスベスト、８  コンプレッサー、９  取り入れ口、
１０  除塵フィルタ、１１  ＰＥＴシート、１３  接続ホース、
１４  ドライアイス混合部、１５  窓、１６  出入り口、１７  壁面、
１８  接続ホース、２０  ホッパー、２１  負圧集塵装置、
Ｓ３１  養生工程、Ｓ３２  除去装置設置工程、Ｓ３３  アスベスト除去工程
【図１】
2008246345.tif 000003
【図２】
2008246345.tif 000004